(57)【要約】【課題】電気光学パネルの表面から効率的に熱を放散する。【解決手段】電気光学装置（１）は、画素領域（１０ａ）で電気光学動作を行う電気光学パネル（１００）と、画素領域に対応する開口部（３１１ａ）が形成されると共に、電気光学パネルを収容する収容ケース（３１１）とを備える。電気光学パネルは、開口部と対向する開口部対向面（２０２ａ）を有する。電気光学パネルの一部は、開口部対向面のうち少なくとも画素領域に対応する部分において、開口部対向面の法線方向に沿う方向に突出している。【選択図】図２
2009198542.tif 000002
【特許請求の範囲】
【請求項１】
画素領域で電気光学動作を行う電気光学パネルと、
前記画素領域に対応する開口部が形成されると共に、前記電気光学パネルを収容する収容ケースと
を備え、
前記電気光学パネルは、前記開口部と対向する開口部対向面を有し、
前記電気光学パネルの一部は、前記開口部対向面のうち少なくとも前記画素領域に対応する部分において、前記開口部対向面の法線方向に沿う方向に突出している
ことを特徴とする電気光学装置。
【請求項２】
前記一部は、前記開口部対向面と前記収容ケースの前記開口部が形成された外表面との間に生じる段差が緩和されるように、突出していることを特徴とする請求項１に記載の電気光学装置。
【請求項３】
前記一部は、前記開口部対向面に交わる平面で前記一部を切った断面上において、前記開口部対向面に向かって幅広となるテーパ形状を有していることを特徴とする請求項１又は２に記載の電気光学装置。
【請求項４】
前記電気光学パネルは、
電気光学物質を狭持する一対の基板と、
該一対の基板の少なくとも一方の基板における前記電気光学物質に対向しない側に配置された防塵用基板と
を備え、
前記防塵用基板は、前記開口部対向面としての、前記防塵用基板における前記一方の基板に対向しない側の基板面を有する
ことを特徴とする請求項１乃至３のいずれか一項に記載の電気光学装置。
【請求項５】
前記防塵用基板は、前記基板面のうち少なくとも前記画素領域に対応する部分において、前記基板面の法線方向に沿った方向に前記基板面から突出する、前記一部としての突出部を有することを特徴とする請求項４に記載の電気光学装置。
【請求項６】
前記突出部は、前記防塵用基板上で平面的に見て、前記防塵用基板の外縁が少なくとも部分的に切り欠かれることにより形成されることを特徴とする請求項５に記載の電気光学装置。
【請求項７】
前記電気光学パネルは、前記基板面のうち少なくとも前記画素領域に対応する部分の上に配置された、前記一部としての段差緩和部材を更に備えることを特徴とする請求項４に記載の電気光学装置。
【請求項８】
前記段差緩和部材は、前記防塵用基板より高い熱伝導率を有することを特徴とする請求項７に記載の電気光学装置。
【請求項９】
前記収容ケースの前記開口部が形成された外表面及び前記一部の一表面が、同一面を形成することを特徴とする請求項１乃至８のいずれか一項に記載の電気光学装置。
【請求項１０】
前記収容ケースの前記開口部が形成された外表面上に、前記開口部を挟んで互いに対向すると共に当該電気光学装置に供給される冷却風の方向に夫々沿って延びる凸部が形成されていることを特徴とする請求項１乃至９のいずれか一項に記載の電気光学装置。
【請求項１１】
前記収容ケースの前記開口部が形成された外表面上に、少なくとも部分的に、前記収容ケースの熱を放散するフィンが形成されていることを特徴とする請求項１乃至１０のいずれか一項に記載の電気光学装置。
【請求項１２】
請求項１乃至１１のいずれか一項に記載の電気光学装置を備えることを特徴とする電子機器。
【発明の詳細な説明】
【技術分野】
【０００１】
本発明は、例えば液晶装置等の電気光学装置、及びこれを備えた、例えば液晶プロジェクタ等の電子機器に関し、特に、電気光学装置の熱の放散に係る技術分野に関する。
【背景技術】
【０００２】
この種の電気光学装置が、例えば液晶プロジェクタ等の電子機器におけるライトバルブとして用いられる際には、電気光学装置の例えば画素領域における表示動作等の電気光学動作を行う液晶パネル等の電気光学パネルに光源からの強力な光源光が入射する。これにより電気光学パネルの温度が上昇し、電気光学パネルの性能が低下する可能性がある。例えば特許文献１には、電気光学パネルの一例である液晶パネルを、表面にフィンが形成された金属製のケースに収納することで、液晶パネルの熱を放散する放熱効果を向上させる技術が記載されている。
【０００３】
【特許文献１】特開２００３−１５１０４号公報
【発明の開示】
【発明が解決しようとする課題】
【０００４】
しかしながら特許文献１によれば、製造工程において、ケース開口部の枠部分によって液晶パネルを支持した状態で、接着剤を充填して液晶パネルを固着するため、ケース開口部と液晶パネルとの間に段差が生じる。すると、この段差によって、液晶パネルに冷却風が供給されていても、液晶パネルの表面から熱を十分には放散することができない可能性があるという技術的問題点がある。
【０００５】
本発明は、例えば上記問題点に鑑みてなされたものであり、電気光学パネルの表面から効率的に熱を放散することができる電気光学装置及びこれを備えた電子機器を提案することを課題とする。
【課題を解決するための手段】
【０００６】
本発明の電気光学装置は、上記課題を解決するために、画素領域で電気光学動作を行う電気光学パネルと、前記画素領域に対応する開口部が形成されると共に、前記電気光学パネルを収容する収容ケースとを備え、前記電気光学パネルは、前記開口部と対向する開口部対向面を有し、前記電気光学パネルの一部は、前記開口部対向面のうち少なくとも前記画素領域に対応する部分において、前記開口部対向面の法線方向に沿う方向に突出している。
【０００７】
本発明の電気光学装置によれば、例えば液晶パネル等である電気光学パネルは、駆動時に、該電気光学パネル上の画素領域における表示動作等の電気光学動作を行う。ここに、「画素領域」とは、個々の画素の領域を意味するのではなく、複数の画素が平面配列された領域全体を意味し、典型的には、「画像表示領域」或いは「表示領域」に相当する。収容ケースは、画素領域に対応する開口部が形成されると共に、電気光学パネルを収容する。
【０００８】
電気光学パネルは、開口部と対向する開口部対向面を有している。電気光学パネルの一部は、開口部対向面のうち少なくとも画素領域に対応する部分において、開口部対向面の法線方向に沿う方向に突出している。電気光学パネルの一部は、典型的には、開口部対向面と収容ケースの開口部が形成された外表面との間に生じる段差が緩和されるように突出している。望ましくは、前記一部は、前記外表面と前記一部の一表面とが同一面を形成するように（即ち、段差が解消されるように）突出している。
【０００９】
本願発明者の研究によれば、収容ケースの開口部と電気光学パネルとの間に段差が生じると、電気光学パネルに冷却風が供給されても、段差によって空気抵抗が増加し、電気光学パネルの表面から熱を十分には放散することが困難となる。すると、例えば、当該電気光学装置がプロジェクタ等の比較的強力な光源光に曝される場合に、熱によって、例えば表示画像の品質が劣化する可能性がある。加えて、段差部分にごみや埃等（以下、「粉塵」ともいう）が付着し易くなり、例えば映写幕上にその粉塵の像が投影されることで、画像の品質が劣化する可能性があることが判明している。
【００１０】
しかるに本発明では、電気光学パネルの一部が突出しているので、前記外表面を含む面を平坦化することができる。この結果、段差に起因する空気抵抗が減少するので、電気光学パネル表面における冷却風の風速が速くなり、効率的に電気光学パネル表面から熱を放散することができる。同時に、収容ケース外表面における冷却風の風速も速くなるので、収容ケースを介する電気光学パネルの熱の放散の効率を向上させることもできる。
【００１１】
加えて、粉塵が付着し難くなるため、実用上非常に有利である。更に、緩和された段差の分だけ、当該電気光学装置の厚さを薄くすることができるので、当該電気光学装置の小型化を図ることが可能となる。
【００１２】
本発明の電気光学装置の一態様では、前記一部は、前記開口部対向面と前記収容ケースの前記開口部が形成された外表面との間に生じる段差が緩和されるように、突出している。
【００１３】
この態様によれば、比較的容易にして、開口部対向面と収容ケースの開口部が形成された外表面との間に生じる段差を緩和又は解消することができ、実用上非常に有利である。尚、「段差が緩和されるように」とは、前記一部の開口部対向面の法線方向に沿った方向の距離（典型的には、高さ）が、段差の大きさに近づくように、という意味である。尚、段差が緩和される限りにおいて、前記一部の高さは、段差の大きさより大きくてもよい（即ち、前記一部が前記外表面より突出していてもよい）。
【００１４】
本発明の電気光学装置の他の態様では、前記一部は、前記開口部対向面に交わる平面で前記一部を切った断面上において、前記開口部対向面に向かって幅広となるテーパ形状を有している。
【００１５】
この態様によれば、前記一部がテーパ形状を有しているため、前記一部が破損し難くなるので、実用上非常に有利である。
【００１６】
本発明の電気光学装置の他の態様では、前記電気光学パネルは、電気光学物質を狭持する一対の基板と、該一対の基板の少なくとも一方の基板における前記電気光学物質に対向しない側に配置された防塵用基板とを備え、前記防塵用基板は、前記開口部対向面としての、前記防塵用基板における前記一方の基板に対向しない側の基板面を有する。
【００１７】
この態様によれば、一対の基板は、例えば液晶等である電気光学物質を狭持している。尚、一対の基板は、例えば、少なくとも一方の基板上における、電気光学物質に対向する側に、例えばＳｉＯやＳｉＯ２等の無機材料からなる無機配向膜を有している。他方の基板上における、電気光学物質に面する側にも、同様に、無機配向膜が設けられていてもよい。
【００１８】
防塵用基板は、一対の基板の少なくとも一方の基板における電気光学物質に対向しない側に配置されている。防塵用基板における一方の基板に対向しない側の基板面が、電気光学パネルにおける開口部対向面に相当する。従って、前記一部は、防塵用基板が部分的に、開口部対向面の法線方向に沿った方向に突出することにより形成されてもよいし、防塵用基板上に、例えばガラス等の板状の部材を配置することにより形成されてもよい。いずれにせよ、防塵用基板に何らかの加工を施すことによって、前記一部を形成することができるので、比較的容易にして前記一部を形成することができる。
【００１９】
電気光学パネルが防塵用基板を備える態様では、前記防塵用基板は、前記基板面のうち少なくとも前記画素領域に対応する部分において、前記基板面の法線方向に沿った方向に前記基板面から突出する、前記一部としての突出部を有してよい。
【００２０】
このように構成すれば、例えば防塵用基板を部分的に削る等によって、前記一部としての突出部を形成することができる。加えて、当該電気光学装置を構成する部品数を削減することができ、実用上非常に有利である。
【００２１】
この突出部を有する態様では、前記突出部は、前記防塵用基板上で平面的に見て、前記防塵用基板の外縁が少なくとも部分的に切り欠かれることにより形成されてよい。
【００２２】
このように構成すれば、比較的容易にして突出部を形成することができ、実用上非常に有利である。尚、例えば防塵用基板の外縁が矩形である場合、４辺のうち少なくとも相互に対向する２辺を切り欠くことによって、突出部を形成することができる。このようにすれば、４辺を切り欠く（即ち、加工する）場合に比べて、例えば製造コストの増加を抑制することができる。更に、電気光学パネルを収容ケース内に配置する際の位置ずれを低減することができるので、配置精度を向上できると共に、再配置による製造コストの増加を抑制することができる。
【００２３】
電気光学パネルが防塵用基板を備える態様では、前記電気光学パネルは、前記基板面のうち少なくとも前記画素領域に対応する部分の上に配置された、前記一部としての段差緩和部材を更に備えてよい。
【００２４】
このように構成すれば、比較的容易にして、前記一部を形成することができる。加えて、既存の製品であっても、段差緩和部材を配置すれば、当該電気光学装置と同様の効果を得ることができ、実用上非常に有利である。
【００２５】
この段差緩和部材を備える態様では、前記段差緩和部材は、前記防塵用基板より高い熱伝導率を有してよい。
【００２６】
このように構成すれば、段差緩和部材が、段差の緩和だけでなく、電気光学パネルの熱を放散する放熱用部材としても機能するので、実用上非常に有利である。このような段差緩和部材は、例えば水晶等により形成すればよい。
【００２７】
本発明の電気光学装置の他の態様では、前記収容ケースの前記開口部が形成された外表面及び前記一部の一表面が、同一面を形成する。
【００２８】
この態様によれば、前記一部の高さと段差の大きさとが等しくなるように、前記一部が形成されるので、段差に起因する空気抵抗をなくすことができ、より効率的に電気光学パネル表面から熱を放散することができる。
【００２９】
本発明の電気光学装置の他の態様では、前記収容ケースの前記開口部が形成された外表面上に、前記開口部を挟んで互いに対向すると共に当該電気光学装置に供給される冷却風の方向に夫々沿って延びる凸部が形成されている。
【００３０】
この態様によれば、少なくとも電気光学パネル表面に沿って流れる冷却風が整流されて風速が速くなり、より効率的に電気光学パネル表面から熱を放散することができる。
【００３１】
本発明の電気光学装置の他の態様では、前記収容ケースの前記開口部が形成された外表面上に、少なくとも部分的に、前記収容ケースの熱を放散するフィンが形成されている。
【００３２】
この態様によれば、フィンにより収容ケースの表面積が増加するので、収容ケースを介して、電気光学パネルの熱をより効率的に放散することができ、実用上非常に有利である。
【００３３】
本発明の電子機器は上記課題を解決するために、上述した本発明の電気光学装置（但し、その各種態様を含む）を備える。
【００３４】
本発明の電子機器によれば、上述した本発明の電気光学装置を備えてなるので、電気光学パネルの熱を効率的に放散することができる。このため、熱暴走や熱破壊が起こりにくく信頼性の高い、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００３５】
本発明の作用及び他の利得は次に説明する実施するための最良の形態から明らかにされる。
【発明を実施するための最良の形態】
【００３６】
以下、本発明に係る電気光学装置及び電子機器の各実施形態を図面に基づいて説明する。尚、以下の図では、各層・各部材を図面上で認識可能な程度の大きさとするため、該各層・各部材ごとに縮尺を異ならしめてある。また、以下の実施形態では、電気光学装置の一例として、駆動回路内蔵型のＴＦＴ（Ｔｈｉｎ  Ｆｉｌｍ  Ｔｒａｎｓｉｓｔｏｒ）アクティブマトリックス駆動方式の液晶装置を挙げる。
【００３７】
＜第１実施形態＞
本発明の電気光学装置に係る第１実施形態を、図１乃至図５を参照して説明する。
【００３８】
先ず、本実施形態に係る液晶装置の全体構成について、図１及び図２を参照して説明する。ここに、図１は、本実施形態に係る液晶装置の全体構成を示す斜視図であり、図２は、図１のＡ−Ａ´線断面図である。
【００３９】
図１において、本実施形態に係る液晶装置１は、液晶パネル１００、フレーム３１１、フック３２０及び配線基板３３０を備えて構成されている。ここに、本実施形態に係る「液晶パネル１００」は、本発明に係る「電気光学パネル」の一例であり、本実施形態に係る「フレーム３１１」及び「フック３２０」は、本発明に係る「収容ケース」の一例である。
【００４０】
図２に示すように、液晶パネル１００は、ＴＦＴアレイ基板１０、対向基板２０、並びに防塵ガラス２０１及び２０２を備えて構成されている。ここに、本実施形態に係る「ＴＦＴアレイ基板１０」及び「対向基板２０」は、本発明に係る「一対の基板」の一例であり、本実施形態に係る「防塵ガラス２０１及び２０２」は、本発明に係る「防塵用基板」の一例である。
【００４１】
ここで、液晶パネル１００の構成について、図３及び図４を参照して詳細に説明する。ここに図３は、ＴＦＴアレイ基板をその上に形成された各構成要素と共に対向基板の側から見た平面図であり、図４は、図３のＨ−Ｈ´線断面図である。
【００４２】
図３及び図４において、液晶パネル１００では、ＴＦＴアレイ基板１０及び対向基板２０が対向配置されている。ＴＦＴアレイ基板１０は、例えば、石英基板、ガラス基板、シリコン基板等の基板からなり、対向基板２０は、例えば、石英基板、ガラス基板等の基板からなる。ＴＦＴアレイ基板１０と対向基板２０との間に液晶層５０が封入されており、ＴＦＴアレイ基板１０と対向基板２０とは、本発明に係る「画素領域」の一例としての画像表示領域１０ａの周囲に位置するシール領域に設けられたシール材５２により相互に接着されている。
【００４３】
シール材５２は、両基板を貼り合わせるための、例えば紫外線硬化樹脂や熱硬化樹脂、又は紫外線・熱併用型硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、ギャップ）を所定値とするためのグラスファイバ或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００４４】
図３において、シール材５２が配置されたシール領域の内側に並行して、画像表示領域１０ａを規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４５】
周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側にサンプリング回路７が額縁遮光膜５３に覆われるようにして設けられている。走査線駆動回路１０４は、この一辺に隣接する２辺に沿ったシール領域５２ａの内側の額縁領域に、額縁遮光膜５３に覆われるようにして設けられている。
【００４６】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、外部回路接続端子１０２と、データ線駆動回路１０１、走査線駆動回路１０４、上下導通端子１０６等とを電気的に接続するための引回配線９０が形成されている。
【００４７】
図４において、ＴＦＴアレイ基板１０上には、駆動素子である画素スイッチング用のＴＦＴや走査線、データ線等の配線が作り込まれた積層構造が形成される。この積層構造の詳細な構成については図４では図示を省略してあるが、この積層構造の上に、ＩＴＯ（Ｉｎｄｉｕｍ  Ｔｉｎ  Ｏｘｉｄｅ）等の透明材料からなる画素電極９ａが、画素毎に所定のパターンで島状に形成されている。
【００４８】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００４９】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクタ用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００５０】
遮光膜２３上に、ＩＴＯ等の透明材料からなる対向電極２１が複数の画素電極９ａと対向して形成されている。遮光膜２３上に、画像表示領域１０ａにおいてカラー表示を行うために、開口領域及び非開口領域の一部を含む領域に、図４には図示しないカラーフィルタが形成されるようにしてもよい。対向基板２０の対向面上における、対向電極２１上には、配向膜２２が形成されている。
【００５１】
尚、図３及び図４に示したＴＦＴアレイ基板１０上には、これらのデータ線駆動回路１０１、走査線駆動回路１０４、サンプリング回路７等に加えて、複数のデータ線に所定電圧レベルのプリチャージ信号を画像信号に先行して各々供給するプリチャージ回路、製造途中や出荷時の当該液晶装置１の品質、欠陥等を検査するための検査回路等を形成してもよい。
【００５２】
再び図２に戻り、配線基板３３０は、外部回路接続端子１０２（図３参照）に電気的に接続されている。配線基板３３０上に、例えばストライプ状に形成された複数の配線の一部に電源電圧が印加されたり、複数の配線の他の部分に、例えば画像信号等の各種信号が供給されたりすることによって、液晶パネル１００が駆動される。
【００５３】
防塵ガラス２０２は、フレーム３１１の開口部３１１ａが形成された外表面３１１ｂと、防塵ガラス２０２の開口部３１１ａと対向する側の基板面２０２ａとの間に生じる段差（即ち、開口部３１１ａの枠部分を形成する材料の厚みに起因する段差）が緩和されるように、基板面２０２ａのうち少なくとも画像表示領域１０ａ（図３参照）に対応する部分において、基板面２０２ａの法線方向に沿った方向に突出する突出部２０２ｂを有している。望ましくは、突出部２０２ｂは、外表面３１１ｂと突出部２０２ｂの上面とが同一面を形成するように、突出している。尚、本実施形態に係る「突出部２０２ｂ」及び「基板面２０２ａ」は、夫々、本発明に係る「電気光学パネルの一部」及び「開口部対向面」の一例である。
【００５４】
このように、本実施形態では防塵ガラス２０２が突出部２０２ｂを有しているため、外表面３１１ｂを含む面を平坦化することができるので、段差に起因する空気抵抗が減少し、液晶装置１の表面における冷却風の風速が速くなり、効率的に液晶パネル１００の表面から熱を放散することができる。加えて、段差部分に粉塵が付着し難くなるため、例えば映写幕上に粉塵の像が投影されることによる画像の品質劣化を抑制することができる。
【００５５】
ここで、防塵ガラス２０２について、図５を参照して説明を加える。ここに、図５（ａ）は、防塵ガラス２０２を、その上面の側から見た平面図であり、図５（ｂ）は、図５（ａ）のＢ−Ｂ´線断面図である。
【００５６】
図５に示すように、突出部２０２ｂは、防塵ガラス２０２の外縁を、例えば幅０．５ｍｍで、切り欠くことにより形成されている。
【００５７】
（比較例）
次に、本実施形態に係る液晶装置の比較例について、図６を参照して説明する。ここに、図６は、図２と同趣旨の、Ａ−Ａ´線断面図である。
【００５８】
図６に示すように、比較例に係る液晶装置４００では、防塵ガラス２０２が突出部を有していないので、外表面３１１ｂと基板面２０２ａとの間の段差が緩和されることがない。このため、段差によって空気抵抗が増加し、例えば液晶装置４００に冷却風が供給されても、液晶パネル１００の表面から熱を十分には放散することが困難となる。加えて、段差部分に粉塵が付着し易くなる。
【００５９】
（第１変形例）
次に、本実施形態に係る液晶装置の第１変形例について、図７を参照して説明する。ここに、図７は、図５（ａ）と同趣旨の、防塵ガラスを、その上面から見た平面図である。
【００６０】
図７に示すように、本変形例では、防塵ガラス２０２の外縁のうち、相互に対向する２辺のみを切り欠くことにより、突出部２０２ｂを形成している。このため、４辺を切り欠く場合に比べて、例えば製造コストの増加を抑制することができる。更に、液晶パネル１００をフレーム３１１内に配置する際の位置ずれを低減することができるので、配置精度を向上できる。
【００６１】
（第２変形例）
次に、本実施形態に係る液晶装置の第２変形例について、図８を参照して説明する。ここに、図８は、図５（ｂ）と同趣旨の、Ｂ−Ｂ´線断面図である。
【００６２】
図８に示すように、本変形例では、防塵ガラス２０２の外縁を切り欠くことに代えて、防塵ガラス２０２の上に、本発明に係る「段差緩和部材」の一例としての基板２１０を配置して突出部を形成している。尚、基板２１０を、例えば水晶等の比較的熱伝導率の高い材料で構成すれば、液晶パネル１００の熱を、より効率的に放散することができる。
【００６３】
（第３変形例）
次に、本実施形態に係る液晶装置の第３変形例について、図９を参照して説明する。ここに、図９（ａ）は、図５（ａ）と同趣旨の、防塵ガラスを、その上面から見た平面図であり、図９（ｂ）は、図５（ｂ）と同趣旨の、図９（ａ）のＣ−Ｃ´線断面図である。
【００６４】
図９（ｂ）に示すように、本変形例では、突出部２０２ｂの側面がテーパ形状に形成されている。
【００６５】
＜第２実施形態＞
次に、本発明の電気光学装置に係る第２実施形態を、図１０を参照して説明する。第２実施形態では、フレームの形状が異なる以外は、第１実施形態と同様である。よって、第２実施形態について、第１実施形態と重複する説明を省略すると共に、図面上における共通箇所には同一符号を付して示し、基本的に異なる点についてのみ、図１０を参照して説明する。ここに、図１０は、図１と同趣旨の、本実施形態に係る液晶装置の全体構成を示す斜視図である。
【００６６】
図１０に示すように、本実施形態に係る液晶装置２では、フレーム３１２は、外表面３１１ｂ上に、開口部３１１ａを挟んで互いに対向すると共に、当該液晶装置２に供給される冷却風の方向に夫々沿って延びる凸部３１２ａを有している。これにより、少なくとも液晶パネル１００の表面に沿って流れる冷却風が整流されて風速が速くなり、より効率的に液晶パネル１００の表面から熱を放散することができる。
【００６７】
＜第３実施形態＞
次に、本発明の電気光学装置に係る第３実施形態を、図１１を参照して説明する。第３実施形態では、フレームの形状が異なる以外は、第１実施形態と同様である。よって、第３実施形態について、第１実施形態と重複する説明を省略すると共に、図面上における共通箇所には同一符号を付して示し、基本的に異なる点についてのみ、図１１を参照して説明する。ここに、図１１は、図１と同趣旨の、本実施形態に係る液晶装置の全体構成を示す斜視図である。
【００６８】
図１１に示すように、本実施形態に係る液晶装置３では、フレーム３１３の表面に、少なくとも部分的に放熱フィン３１３ａが形成されている。これにより、フレーム３１３の表面積が増加するので、フレーム３１３を介して、液晶パネル１００の熱をより効率的に放散することができる。
【００６９】
＜電子機器＞
次に、図１２を参照しながら、上述した液晶装置を電子機器の一例であるプロジェクタに適用した場合を説明する。上述した液晶装置における液晶パネル１００は、プロジェクタのライトバルブとして用いられている。図１２は、プロジェクタの構成例を示す平面図である。
【００７０】
図１２に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００７１】
液晶パネル１１１０Ｒ、１１１０Ｂおよび１１１０Ｇの構成は、上述した液晶装置と同等の構成を有しており、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７２】
ここで、各液晶パネル１１１０Ｒ、１１１０Ｂおよび１１１０Ｇによる表示像について着目すると、液晶パネル１１１０Ｒ、１１１０Ｂによる表示像は、液晶パネル１１１０Ｇによる表示像に対して左右反転することが必要となる。
【００７３】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００７４】
尚、図１２を参照して説明した電子機器の他にも、モバイル型のパーソナルコンピュータや、携帯電話、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００７５】
本発明は、上述した実施形態に限られるものではなく、請求の範囲及び明細書全体から読み取れる発明の要旨或いは思想に反しない範囲で適宜変更可能であり、そのような変更を伴う電気光学装置、及び該電気光学装置を備えた電子機器もまた本発明の技術的範囲に含まれるものである。
【図面の簡単な説明】
【００７６】
【図１】第１実施形態に係る液晶装置の全体構成を示す斜視図である。
【図２】図１のＡ−Ａ´線断面図である。
【図３】第１実施形態に係る液晶パネルを、ＴＦＴアレイ基板をその上に形成された各構成要素と共に対向基板の側から見た平面図である。
【図４】図３のＨ−Ｈ´線断面図である。
【図５】（ａ）は、第１実施形態に係る防塵ガラスを、その上面の側から見た平面図であり、（ｂ）は、図５（ａ）のＢ−Ｂ´線断面図である。
【図６】第１実施形態に係る液晶装置の比較例を示す断面図である。
【図７】第１実施形態の第１変形例に係る防塵ガラスを、その上面の側から見た平面図である。
【図８】第１実施形態の第２変形例に係る防塵ガラスを示す断面図である。
【図９】（ａ）は、第１実施形態の第３変形例に係る防塵ガラスを、その上面の側から見た平面図であり、（ｂ）は、図９（ａ）のＣ−Ｃ´線断面図である。
【図１０】第２実施形態に係る液晶装置の全体構成を示す斜視図である。
【図１１】第３実施形態に係る液晶装置の全体構成を示す斜視図である。
【図１２】電気光学装置を適用した電子機器の一例たるプロジェクタの構成を示す平面図である。
【符号の説明】
【００７７】
１、２、３、４００…液晶装置、１０…ＴＦＴアレイ基板、１０ａ…画像表示領域、２０…対向基板、１００…液晶パネル、２０１、２０２…防塵ガラス、２０２ａ…基板面、２０２ｂ…突出部、３１１、３１２、３１３…フレーム、３１１ａ…開口部、３１１ｂ…外表面、３２０…フック、３３０…配線基板
【図１】
2009198542.tif 000003
【図２】
2009198542.tif 000004
【図３】
2009198542.tif 000005
【図４】
2009198542.tif 000006
【図５】
2009198542.tif 000007
【図６】
2009198542.tif 000008
【図７】
2009198542.tif 000009
【図８】
2009198542.tif 000010
【図９】
2009198542.tif 000011
【図１０】
2009198542.tif 000012
【図１１】
2009198542.tif 000013
【図１２】
2009198542.tif 000014